(57)【要約】【課題】超高圧樹脂ホースと口金具の締結構造をスカイブ方式とし、高温下にて軟化する外被樹脂をなくした。このため、確実なホース締結をもたらし、締結部におけるホ−ス肉厚も薄く、かつ、補強層ワイヤを直接締結具で押えることができることとなった。【解決手段】口金具の内筒を樹脂ホースの先端に差し込み、内筒に対応する部位を締結具をもってホ−スの外側から加締めてなる超高圧樹脂ホ−スの締結構造であって、前記ホ−スは加締め部の外被を除去して補強ワイヤ層を露呈させ、かつ締結具の内周面には残された外被の端部に対応する部分に押圧手段を形成し、締結具を加締めることによって外被の先端部を押圧し、更に、ホ−スの露呈された補強ワイヤ層と締結具とを直接噛み合わせる超高圧樹脂ホ−スの締結構造。１‥超高圧樹脂ホース、１ｃ‥外被、１ｅ‥スカイブ部位、２‥口金具、２ａ‥内筒、３‥締結具。【選択図】図４
2006161849.tif 000002
【特許請求の範囲】
【請求項１】
超高圧樹脂ホースの先端内に口金具の内筒を差し込んで口金具の最深部にまで超高圧樹脂ホースの先端を到達させ、内筒に対応する部位を締結具をもってホ−スの外側から加締め、当該ホ−スを内筒と締結具間に挟み込んでなる超高圧樹脂ホ−スの締結構造であって、前記ホ−スは加締め部の外被を除去して補強ワイヤ層を露呈させ、かつ締結具の内周面には残された外被の端部に対応する部分に押圧手段を形成し、締結具を加締めることによって外被の先端部を押圧し、更に、ホ−スの露呈された補強ワイヤ層と締結具とを直接噛み合わせることを特徴とする超高圧樹脂ホ−スの締結構造。
【請求項２】
押圧手段が環状溝部又は環状山部である請求項１記載の超高圧樹脂ホ−スの締結構造。  
【請求項３】
ホ−ス先端部の外被を残して加締め部の外被を除去して補強ワイヤ層を露呈させた請求項１又は２記載の超高圧樹脂ホ−スの締結構造。
【発明の詳細な説明】
【技術分野】
【０００１】
本発明は超高圧樹脂ホ−スの締結構造に関するものであり、具体的には超高圧樹脂ホ−スとこれを繋ぐ口金具の間の新規な締結構造に関するものである。
【背景技術】
【０００２】
本発明は超高圧樹脂ホ−スと口金具の締結構造に関する新たな提案であり、超高圧に耐え得る樹脂ホ−スと、これに対応する口金具が必要であり、特に締結構造の構成要素として口金具は重要な役割を担っている。
【０００３】
従来から行われている超高圧樹脂ホースと口金具の締結構造は、ホース外被を除去しない方式（以下、ノンスカイブ方式という）で、締結具を外側から加締め、ホースと口金具を締結する方法を用いていた。そのため、ホース外被が除去されないことから、ホース補強層と締結具の内面は直接接触せずにホースと口金具が加締め締結されることになる。
【０００４】
図１は従来から行われている超高圧樹脂ホースと口金具の締結構造を示すものであり、ホース１は内面層１ａの外周面にスチ−ルワイヤ１ｂが巻き付けられた構造（この例では４層構造）となっており、更にこの外周面に保護層としての外被１ｃが形成されたものである。そして、このホ−ス１の先端内に口金具２の内筒２ａを差し込んで口金具２の最深部にまで差し込み、この状態にて更にその外周面を締結具３をもって加締めてなるものである。
【０００５】
図１にて示す従来の構造にあっては、外被１ｃが除去されておらず、締結具３にて外被１ｃを締結する構造のため、高温下（＋５０℃以上）ではホースの外被１ｃを構成する樹脂が軟化し、口金具による締結力が低下してしまう。そのため、最悪の場合はホ−スの内圧に耐え切れず、最終的にホース１と口金具２が離脱しいわゆるホ−ス抜けに至る場合がある。かかる場合には、離脱したホース、口金具、内部流体の漏洩等によって周囲に大きな危害・損害を与えることは容易に想像でき、製品安全性を考慮した際には好ましいものとは言えない。
【０００６】
又、締結を行う部分のホ−ス肉厚は、外被を含んだホ−ス肉厚となるため、締結を行う部分の肉厚が厚い。結果として口金具を締結し加締める場合において不安定な要素を排除出来ないということにもなり、超高圧用樹脂ホースとしての締結部性能においてもその不安定な影響がでる場合が考えられる。
【０００７】
更に、ホ−ス外被の存在により、加締め部性能を満足させるためには更に強い締結力（締付）が必要であり、これにより内孔つぶれ（座屈）が発生し、口金具部での圧力損失の増大にもつながる。
【発明の開示】
【発明が解決しようとする課題】
【０００８】
本発明は、超高圧樹脂ホースと口金具の締結構造をノンスカイブ方式からスカイブ方式（ホ−ス外被を除去し締結具を外側から加締め、ホ−スと口金具を締結する方法）に変更するものであり、このためのホ−ス構造と口金具構造を提供するものである。
【課題を解決するための手段】
【０００９】
本発明の要旨は、超高圧樹脂ホースの先端内に口金具の内筒を差し込んで口金具の最深部にまで超高圧樹脂ホースの先端を到達させ、内筒に対応する部位を締結具をもってホ−スの外側から加締め、当該ホ−スを内筒と締結具間に挟み込んでなる超高圧樹脂ホ−スの締結構造であって、前記ホ−スは加締め部の外被を除去して補強ワイヤ層を露呈させ、かつ締結具の内周面には残された外被の端部に対応する部分に押圧手段を形成し、締結具を加締めることによって外被の先端部を押圧し、更に、ホ−スの露呈された補強ワイヤ層と締結具とを直接噛み合わせる超高圧樹脂ホ−スの締結構造に係るものである。
【００１０】
そして、押圧手段が環状溝部又は環状山部であり、好ましくは、ホ−ス先端部の外被を残して加締め部の外被を除去して補強ワイヤ層を露呈させた超高圧樹脂ホ−スの締結構造である。
【発明の効果】
【００１１】
本発明は以上の通りであって、超高圧ホースと口金具の締結構造をノンスカイブ方式からスカイブ方式に変更したものであり、これにより、スリーブの内面がホースの補強層ワイヤと直接接触した状態で補強層ワイヤを拘束し、従来では、高温下において軟化する外被樹脂も存在しないこととしたものである。そのため、高温状態でも口金具により確実なホース締結を発揮することが可能となったもので、又、ホ−ス外被を除去することで締結部におけるホ−ス肉厚も薄くなり、かつ、補強層ワイヤを直接締結具で押えることができるため、安定要素を増やすことにもつながるものである。
【発明を実施するための最良の形態】
【００１２】
本発明は、ホ−ス外被をスカイブ方式とし、加締め部に相当する部位の外被を除去することと、締結具によってワイヤ補強層を直接噛み合わせ、かつ、除去されない外被を締結具に備えた押圧手段によって押圧して外部からの水分の侵入を阻止した構造としたものである。
【００１３】
ホ−ス外被を除去するスカイブ方式としては、加締め部に相当する部位の外被を除去するものである。そして、補強層ワイヤに施す接着が十分であればワイヤ層がばらけることはない。しかるに、超高圧ホ−スの外被を除去した場合、補強層ワイヤがホース切断面でばらけたり、外れる等の問題が発生しがちであり、この場合には、口金具に挿入することが出来ないという欠点がある。ワイヤブラシを用いてホ−ス外被を除去する方法では、ホ−ス切断面で補強層ワイヤをばらけさせずに外被を除去することが出来ないという問題がある。
【００１４】
かかる欠点を解決するために、好ましくは、ホース先端部、即ちホ−ス切断面付近にホ−ス外被を残し、加締め部に相当する部位の外被を除去するものである。これにより、ホース切断面での補強層ワイヤがばらける等の問題を排除し、従来のノンスカイブ方式と同様にホース先端を口金具の最深部にまで容易に差し込むことが可能となったのである。
【００１５】
一方、締結具側には残された外被に対応してこれを押え込む構造としたものであり、例えば、環状の溝部或いは環状の山部を備えたものである。
【００１６】
本発明にあっては、締結力を有効に発揮させるため、締結具に対応する部位の外被を除去している。このため、口金具締結部の外側から水等が浸入し締結部性能が外力により低下することが考えられるが、この欠点を解決するために口金具の締結具によって残った外被の先端部を押さえ込む手段（環状の溝部或いは環状の山部）を備えたものであって、外被抜けや外部からの水分等の侵入を容易に回避することとしたものである。
【実施例】
【００１７】
以下、図面をもって本発明を更に詳細に説明する。
図２はホ−ス１のスカイブ方式を示す図であり、図２（１）はホ−ス１の切断先端から外被１ｃをスカイブ１ｅした例である。又、図２（２）はホ−ス１の切断先端の外被１ｄを残してスカイブ１ｅした例である。
【００１８】
後者の場合、補強層ワイヤ１ｂはばらけることがなく、そのまま口金具最深部に差し込むことが可能である。スカイブ１ｅの幅Ｗは任意に設定できるが、幅Ｗの最大長さは締結具の長さより５〜１０ｍｍ短い程度がよい。これは締結具によって外被が押圧される必要があるからである。又、切断先端に残された外被１ｄはホ−ス切断部での補強層ワイヤがばらけるのを防止するためのものであって、更に外被をスカイブさせる作業性の点を考慮すると５〜１０ｍｍ程度以上が必要になる。
【００１９】
図３は締結具３の先端の拡大図であり、その内側先端に環状の溝部３ａを形成したものである。この溝部３ａは前記の外被１ｄに対応して形成したものであり、締結具３を加締めた場合、外被１ｄが押圧され、溝部３ａ内にほぼ納まるようにしたものである。溝部３ａの深さは外被の肉厚のほぼ１／２程度であり、その幅は２〜３倍程度がよいが、この例では深さが外被の肉厚の１／２、幅が２倍とした。尚、図示はしないが溝部の代わりに逆に山部を形成し、外被１ｄを押圧してもよい。
【００２０】
図４は本発明の超高圧樹脂ホ−スの締結構造を示す断面図である。即ち、ホース１は内面層１ａの外周面にスチ−ルワイヤ１ｂが巻き付けられた構造（この例では４層構造）となっており、更にこの外周面に保護層としての外被１ｃが形成されたものである。そして、このホ−ス１の切断部（先端）に外被１ｄを残して外被をスカイブした構造である。
【００２１】
そして、口金具２の内筒２ａを差し込んで口金具２の最深部にまで差し込み、この状態にて外被をスカイブし、補強ワイヤ１ｂが露呈した部位に締結具３をもって加締めてなるものである。勿論、締結具３の溝部３ａはスカイブされない外被１ｄと重なる状態で加締めることとなる。そして、締結具３の補強ワイヤ１ｂとの接触面には環状の凹凸を形成しておくのがよく、これによって補強ワイヤ１ｂを加締めた際にこれに波打ち状態をもたらし内筒の座屈の発生を阻止することができる。
【００２２】
以上の締結構造を採用したことにより、比較的低い締め付け率でも口金具締結部の性能を確保することが可能となったものであり、結果として口金具部での圧力損失低減もできるようになったものである。即ち、強い締め付けによる圧縮力に対し、内筒穴の潰れを緩和することが可能となったものである。
【００２３】
更に言えば、ホ−ス締め付け前の径と締め付け後の径を比較（ホ−ス締結率）すると、ノンスカイブにおける締結の場合には最低限必要なホ−ス締付率は２０％であるのに対し、本発明の場合にはこれが１０％であり、それだけ内筒に加わる力が小さくて済むこととなった。
【００２４】
そして、残した外被の端部を締結具の端部に形成した溝部（又は山）で押えることで、使用中にホ−ス破壊に至った場合にも外被抜け（即ちホ−ス抜け）に至らず、又、ホ−ス全体を水中に浸漬した場合にも水分侵入も見られないという優れた締結構造となったものである。
【００２５】
以下、高温状態での破壊テスト結果を示す。
「テスト・１］
供試ホ−ス（ブリヂストン製超高圧樹脂ホ−ス：プリモラインＪＡＬ０８）の概要は次の通りである。内径：１２．８ｍｍφ、外径：２１．０ｍｍφ、内層：ナイロン樹脂、補強層：４層スパイラルワイヤ、外層：ナイロン樹脂。
そして、従来品としてはノンスカイブ構造であり、本発明品のスカイブ構造は、ホ−ス切断面（両端）より１０ｍｍ外被を残し、４０ｍｍの幅をスカイブしたものである。
【００２６】
（口金具）                                                                      用いた締結具の概要は以下の通りである。締結幅が１００ｍｍで、２ｍｍ間隔で逆台形の環状溝を備えた（９０度にて拡角し、深さ０．５ｍｍ、上底幅０．５ｍｍ）。
【００２７】
（テスト・１の方法）                                                            テスト・１はチャンバ−内に加圧用ポンプに接続した試験ホ−スをセットし、加圧用ポンプより圧力を加え、チャンバ−内のホ−スが破壊（破裂）するまで加圧し、テスト後の状態を確認する方法である。尚、全て同一条件の締付率にて行った。
【００２８】
テスト結果を表１に示す。
【表１】
2006161849.tif 000003
【００２９】
（テスト・１の結果）
従来品：従来品にあっては、雰囲気及び流体の温度が製品最高使用温度（５０℃）の場合には、口金具抜けは生ぜず、ホ−ス本体の破壊が生じた。一方、雰囲気、流体温度が最高使用温度を越える高温（８０℃）になると、ホ−ス本体が破壊する前に口金具抜けが生じた。外被を構成する樹脂が軟化し、これによって締結が緩んだ結果である。
本発明品；本発明品にあっては、いずれのテスト結果も口金具抜けは生ぜず、ホ−ス本体が破壊した。
「テスト・２］
【００３０】
上記のテスト１において、破壊前の状態のホ−スを水中に２４時間漬けておいたが、ホ−ス内部への水の侵入はなかった。このことは、締結具に形成した溝部と外被が完全に噛み合っていることを示すもので、補強ワイヤを露呈しても錆等の発生がないことを意味し、締結が完全であることが証明された。
【産業上の利用可能性】
【００３１】
本発明は以上の通りであり、締結状態はホ−スの破壊まで完全に保たれているものであり、その利用範囲は極めて広く、あらゆるホ−スの締結に利用可能である。
【図面の簡単な説明】
【００３２】
【図１】図１は従来の超高圧樹脂ホースと口金具の締結構造を示す図である。
【図２】図２は本発明の超高圧樹脂ホースの端部処理を示す図である。
【図３】図３は本発明の口金具の締結具の部分図である。
【図４】図４は本発明の超高圧樹脂ホースと口金具の締結構造を示す図である。
【符号の説明】
【００３３】
１‥超高圧樹脂ホース、
１ａ‥内面層、
１ｂ‥スチ−ルワイヤ、
１ｃ‥外被、
１ｄ‥ホ−ス切断先端の外被、
１ｅ‥スカイブ部位、
２‥口金具、
２ａ‥内筒、
３‥締結具、
３ａ‥環状溝部。
【図１】
2006161849.tif 000004
【図２】
2006161849.tif 000005
【図３】
2006161849.tif 000006
【図４】
2006161849.tif 000007